(57)【要約】【課題】位相反転駆動を行う液晶表示装置において、焼き付きの発生を防止しつつ、表示品位の低下を抑える。【解決手段】液晶表示装置は、フレーム反転駆動を行いつつ位相反転駆動を行う液晶表示装置であって、データ線にデータ電圧を出力するソースドライバと、前記データ電圧が印加される画素電極と、前記画素電極に対向配置され、共通電圧が印加される共通電極と、を含み、前記データ電圧の極性の位相が反転した直後の第１フレームにおいて、ソースドライバは、水平走査期間のうち初めの第１期間に、入力画像データに対応する第１データ電圧より前記共通電圧に近い第２データ電圧を前記データ線に出力し、前記水平走査期間のうち前記第１期間以降の第２期間に、前記第１データ電圧を前記データ線に出力する。【選択図】図６
2017181839.tif 000002
【特許請求の範囲】
【請求項１】
データ線に正極性のデータ電圧と負極性のデータ電圧とを１又は複数フレーム毎に交互に出力するフレーム反転駆動を行いつつ、データ電圧の極性の位相を所定のタイミングで反転させる位相反転駆動を行う、液晶表示装置であって、
前記データ線に前記データ電圧を出力するソースドライバと、
前記データ電圧が印加される画素電極と、
前記画素電極に対向配置され、共通電圧が印加される共通電極と、
を含み、
前記位相が反転した直後の第１フレームにおいて、前記ソースドライバは、
水平走査期間のうち初めの第１期間に、入力画像データに対応する第１データ電圧より前記共通電圧に近い第２データ電圧を前記データ線に出力し、
前記水平走査期間のうち前記第１期間以降の第２期間に、前記第１データ電圧を前記データ線に出力する、
ことを特徴とする液晶表示装置。
【請求項２】
前記第２データ電圧は、前記共通電圧である、
ことを特徴とする請求項１に記載の液晶表示装置。
【請求項３】
前記ソースドライバは、前記第１フレームにおける全ての水平走査期間において、前記第１期間に前記第２データ電圧を前記データ線に出力する、
ことを特徴とする請求項１に記載の液晶表示装置。
【請求項４】
さらに、隣り合う２本の前記データ線に供給する前記データ電圧の極性を互いに異ならせる列ライン反転駆動を行う、
ことを特徴とする請求項１に記載の液晶表示装置。
【請求項５】
さらに、前記データ線が延在する列方向に直交する行方向の行ライン毎に、前記データ線に供給する前記データ電圧の極性を異ならせる行ライン反転駆動を行う、
ことを特徴とする請求項１に記載の液晶表示装置。
【請求項６】
データ線に正極性のデータ電圧と負極性のデータ電圧とを１又は複数フレーム毎に交互に出力するフレーム反転駆動、及び、隣り合う２本のデータ線に供給するデータ電圧の極性を互いに異ならせる極性反転駆動を行いつつ、データ電圧の極性の位相を所定のタイミングで反転させる位相反転駆動を行う、液晶表示装置であって、
前記データ線に前記データ電圧を出力するソースドライバと、
前記データ電圧が印加される画素電極と、
前記画素電極に対向配置され、共通電圧が印加される共通電極と、
を含み、
前記位相が反転した直後の第１フレームにおいて、前記ソースドライバは、
水平走査期間のうち初めの第１期間において、第１極性のデータ電圧が供給される第１データ線と、前記第１極性とは異なる第２極性のデータ電圧が供給される第２データ線とを互いに短絡させる短絡処理を実行するとともに、前記第１データ線及び前記第２データ線に対するデータ電圧の出力動作を停止し、
前記水平走査期間のうち前記第１期間以降の第２期間において、前記第１データ線及び前記第２データ線の短絡状態を解除するとともに、入力画像データに対応するデータ電圧を前記第１データ線及び前記第２データ線に出力する、
ことを特徴とする液晶表示装置。
【請求項７】
前記ソースドライバは、全てのフレームにおいて前記短絡処理を実行するとともに、前記第１フレームにおける前記第１期間を、他のフレームにおける前記第１期間より長くする、
ことを特徴とする請求項６に記載の液晶表示装置。
【請求項８】
前記ソースドライバは、全ての水平走査期間において前記短絡処理を実行する、
ことを特徴とする請求項６に記載の液晶表示装置。
【請求項９】
前記ソースドライバは、前記第１フレームでは前記短絡処理を実行する一方、前記第１フレーム以外のフレームでは前記短絡処理を実行しない、
ことを特徴とする請求項６に記載の液晶表示装置。
【請求項１０】
ｎ（ｎは１以上の整数）ドット反転駆動を行う場合において、
前記ソースドライバは、前記第１フレームでは１水平走査期間ごとに前記短絡処理を実行する一方、前記第１フレーム以外のフレームではｎ水平走査期間ごとに前記短絡処理を実行する、
ことを特徴とする請求項６に記載の液晶表示装置。
【発明の詳細な説明】
【技術分野】
【０００１】
本発明は、液晶表示装置に関する。
【背景技術】
【０００２】
各種表示装置のうち例えば液晶表示装置は、画素電極と共通電極（コモン電極ともいう。）との間に発生する電界を液晶に印加して液晶を駆動させることにより、画素電極と共通電極との間の領域を透過する光の量を調整して画像表示を行う。従来、液晶表示装置では、焼き付きを防止するためにフレーム反転駆動が行われている。フレーム反転駆動とは、例えば、画素に配置された画素電極に印加する電圧（以下、データ電圧という。）であって、画素に配置された共通電極に印加する電圧（以下、共通電圧Ｖｃｏｍという。）より高い電圧（正極性のデータ電圧）と、共通電圧Ｖｃｏｍより低い電圧（負極性のデータ電圧）とを、１又は複数フレーム毎に交互に印加する駆動をいう。
【０００３】
上記フレーム反転駆動を行う液晶表示装置では、例えば、図１２（ａ）に示すように白画像と黒画像とを交互に表示させた場合に、データ電圧が正極性側に偏り液晶に直流電圧が印加された状態になり、これにより焼き付きが発生し表示品位の低下を招くことが知られている。従来、この問題を解消する技術として、位相反転駆動が提案されている（例えば特許文献１参照）。位相反転駆動とは、画素電極に印加するデータ電圧の極性の位相を、所定のタイミングで反転させる駆動をいう（図１２（ｂ）参照）。位相反転駆動によれば、共通電圧Ｖｃｏｍに対するデータ電圧の正極側と負極側の偏りが、上記位相を反転させる度に逆転する。よって、液晶に直流電圧が印加される状態を回避することができる。
【先行技術文献】
【特許文献】
【０００４】
【特許文献１】特開２００５−３０９２７４号公報
【発明の概要】
【発明が解決しようとする課題】
【０００５】
しかし、上記構成では、例えば図１２（ｃ）に示すように、略一定の輝度を有する画像（例えば白画像）が表示されると、位相反転直後のフレームにおいて、表示画像の輝度が高くなり、フリッカが発生し易くなる。このように、位相反転駆動を行う液晶表示装置では、液晶に直流電圧が印加されることによる焼き付きを抑制する効果がある一方、副作用として、フリッカが発生し表示品位が低下するという問題がある。
【０００６】
本発明は、上記実情に鑑みてなされたものであり、その目的は、位相反転駆動を行う液晶表示装置において、焼き付きの発生を防止しつつ、表示品位の低下を抑えることにある。
【課題を解決するための手段】
【０００７】
上記課題を解決するために、本発明に係る液晶表示装置は、データ線に正極性のデータ電圧と負極性のデータ電圧とを１又は複数フレーム毎に交互に出力するフレーム反転駆動を行いつつ、データ電圧の極性の位相を所定のタイミングで反転させる位相反転駆動を行う、液晶表示装置であって、前記データ線にデータ電圧を出力するソースドライバと、前記データ電圧が印加される画素電極と、前記画素電極に対向配置され、共通電圧が印加される共通電極と、を含み、前記位相が反転した直後の第１フレームにおいて、前記ソースドライバは、水平走査期間のうち初めの第１期間に、入力画像データに対応する第１データ電圧より前記共通電圧に近い第２データ電圧を前記データ線に出力し、前記水平走査期間のうち前記第１期間以降の第２期間に、前記第１データ電圧を前記データ線に出力する、ことを特徴とする。
【０００８】
本発明に係る液晶表示装置では、前記第２データ電圧は、前記共通電圧であってもよい。
【０００９】
本発明に係る液晶表示装置では、前記ソースドライバは、前記第１フレームにおける全ての水平走査期間において、前記第１期間に前記第２データ電圧を前記データ線に出力してもよい。
【００１０】
本発明に係る液晶表示装置では、さらに、隣り合う２本の前記データ線に供給する前記データ電圧の極性を互いに異ならせる列ライン反転駆動を行ってもよい。
【００１１】
本発明に係る液晶表示装置では、さらに、前記データ線が延在する列方向に直交する行方向の行ライン毎に、前記データ線に供給する前記データ電圧の極性を異ならせる行ライン反転駆動を行ってもよい。
【００１２】
上記課題を解決するために、本発明に係る液晶表示装置は、データ線に正極性のデータ電圧と負極性のデータ電圧とを１又は複数フレーム毎に交互に出力するフレーム反転駆動、及び、隣り合う２本のデータ線に供給するデータ電圧の極性を互いに異ならせる極性反転駆動を行いつつ、データ電圧の極性の位相を所定のタイミングで反転させる位相反転駆動を行う、液晶表示装置であって、前記データ線に前記データ電圧を出力するソースドライバと、前記データ電圧が印加される画素電極と、前記画素電極に対向配置され、共通電圧が印加される共通電極と、を含み、前記位相が反転した直後の第１フレームにおいて、前記ソースドライバは、水平走査期間のうち初めの第１期間において、第１極性のデータ電圧が供給される第１データ線と、前記第１極性とは異なる第２極性のデータ電圧が供給される第２データ線とを互いに短絡させる短絡処理を実行するとともに、前記第１データ線及び前記第２データ線に対するデータ電圧の出力動作を停止し、前記水平走査期間のうち前記第１期間以降の第２期間において、前記第１データ線及び前記第２データ線の短絡状態を解除するとともに、入力画像データに対応するデータ電圧を前記第１データ線及び前記第２データ線に出力する、ことを特徴とする。
【００１３】
本発明に係る液晶表示装置では、前記ソースドライバは、全てのフレームにおいて前記短絡処理を実行するとともに、前記第１フレームにおける前記第１期間を、他のフレームにおける前記第１期間より長くしてもよい。
【００１４】
本発明に係る液晶表示装置では、前記ソースドライバは、全ての水平走査期間において前記短絡処理を実行してもよい。
【００１５】
本発明に係る液晶表示装置では、前記ソースドライバは、前記第１フレームでは前記短絡処理を実行する一方、前記第１フレーム以外のフレームでは前記短絡処理を実行しない構成であってもよい。
【００１６】
本発明に係る液晶表示装置では、ｎ（ｎは１以上の整数）ドット反転駆動を行う場合において、前記ソースドライバは、前記第１フレームでは１水平走査期間ごとに前記短絡処理を実行する一方、前記第１フレーム以外のフレームではｎ水平走査期間ごとに前記短絡処理を実行する構成であってもよい。
【発明の効果】
【００１７】
本発明に係る液晶表示装置の構成によれば、位相反転駆動を行う液晶表示装置において、焼き付きの発生を防止しつつ、表示品位の低下を抑えることができる。
【図面の簡単な説明】
【００１８】
【図１】本発明の実施形態に係る液晶表示装置の概略構成を示す平面図である。
【図２】列ライン反転駆動を説明するための図である。
【図３】行ライン反転駆動を説明するための図である。
【図４】実施例１及び２に係る液晶表示装置における制御部の概略構成を示すブロック図である。
【図５】実施例１に係る液晶表示装置の動作を説明するための図である。
【図６】実施例１に係る液晶表示装置の動作を示すタイミングチャートである。
【図７】実施例２に係る液晶表示装置の動作を説明するための図である。
【図８】実施例２に係る液晶表示装置の動作を示すタイミングチャートである。
【図９】実施例３に係る液晶表示装置における制御部の概略構成を示すブロック図である。
【図１０】実施例３に係るソースドライバ及びデータ線の構成を示す図である。
【図１１】実施例３に係る液晶表示装置の動作を示すタイミングチャートである。
【図１２】従来の駆動方法を示す図である。
【発明を実施するための形態】
【００１９】
本発明の一実施形態について、図面を用いて以下に説明する。図１は、本実施形態に係る液晶表示装置の概略構成を示す平面図である。液晶表示装置１００は、表示パネル１０と、ソースドライバ２０と、ゲートドライバ３０と、制御部４０と、バックライト装置（図示せず）とを含んでいる。
【００２０】
表示パネル１０には、第１方向（例えば列方向）に延在する複数のデータ線１１と、第２方向（例えば行方向）に延在する複数のゲート線１２とが設けられている。各データ線１１と各ゲート線１２との各交差部には、薄膜トランジスタ１３（ＴＦＴ）が設けられている。各データ線１１はソースドライバ２０に接続されており、各ゲート線１２はゲートドライバ３０に接続されている。また表示パネル１０には、各データ線１１と各ゲート線１２との各交差部に対応して、複数の画素１４がマトリクス状（行方向及び列方向）に配置されている。なお、図示はしないが、表示パネル１０は、薄膜トランジスタ基板（ＴＦＴ基板）と、カラーフィルタ基板（ＣＦ基板）と、両基板間に挟持された液晶層とを含んでいる。ＴＦＴ基板には、各画素１４に１つずつ配置された複数の画素電極１５と、各画素１４に共通して配置され、画素電極１５に対向配置された共通電極１６とが設けられている。なお、共通電極１６はＣＦ基板に設けられてもよい。
【００２１】
各データ線１１には、ソースドライバ２０からデータ信号（データ電圧Ｄｖ）が供給され、各ゲート線１２には、ゲートドライバ３０からゲート信号（ゲート電圧Ｇｖ）が供給される。共通電極１６には、図示しないコモンドライバから共通電圧Ｖｃｏｍが供給される。ゲート信号のオン電圧がゲート線１２に供給されると、ゲート線１２に接続されたＴＦＴ１３がオンし、ＴＦＴ１３に接続されたデータ線１１を介して、データ電圧Ｄｖが画素電極１５に印加される。画素電極１５に印加されたデータ電圧Ｄｖと、共通電極１６に印加された共通電圧Ｖｃｏｍとの差により電界が生じる。この電界により液晶を駆動してバックライトの光の透過率を制御することによって画像表示を行う。なお、カラー表示を行う場合は、縦ストライプ状のカラーフィルタで形成された赤色、緑色、青色に対応するそれぞれの画素１４の画素電極１５に接続されたそれぞれのデータ線１１に、所望のデータ電圧Ｄｖを供給することにより実現される。
【００２２】
制御部４０は、画像表示用の出力画像データＤＡと、ソースドライバ２０及びゲートドライバ３０における動作タイミングを規定するための複数の制御信号とを生成する。具体的には、制御部４０は、外部のシステム（図示せず）から供給されるタイミング信号（クロック信号ＣＫ、垂直同期信号Ｖｓｙｎ、水平同期信号Ｈｓｙｎ）に基づいて、極性制御信号ＰＯＬ、データスタートパルスＤＳＰ、データクロックＤＣＫ、ゲートスタートパルスＧＳＰ、ゲートクロックＧＣＫを含む複数の制御信号を生成する。制御部４０は、生成した複数の制御信号をソースドライバ２０及びゲートドライバ３０に供給し、ソースドライバ２０及びゲートドライバ３０の駆動を制御する。具体的には、制御部４０は、極性制御信号ＰＯＬ、データスタートパルスＤＳＰ、データクロックＤＣＫ、出力画像データＤＡをソースドライバ２０に供給する。また、制御部４０は、ゲートスタートパルスＧＳＰ、ゲートクロックＧＣＫをゲートドライバ３０に供給する。
【００２３】
極性制御信号ＰＯＬは、ソースドライバ２０からデータ線１１に供給されるデータ電圧Ｄｖの極性を決定するための制御信号である。極性制御信号ＰＯＬは、１フレーム（あるいは複数フレーム）又は１ライン（あるいは複数ライン）ごとにハイレベルとローレベルとが切り替わる信号である。例えば、極性制御信号ＰＯＬがハイレベルのときは、ソースドライバ２０は、出力画像データＤＡに基づき、共通電圧Ｖｃｏｍより高い電圧（正極性のデータ電圧Ｄｖ）をデータ線１１に出力する。一方、極性制御信号ＰＯＬがローレベルのときは、ソースドライバ２０は、出力画像データＤＡに基づき、共通電圧Ｖｃｏｍより低い電圧（負極性のデータ電圧Ｄｖ）をデータ線１１に出力する。このようにソースドライバ２０は、データ線１１に対して、出力画像データＤＡに応じたデータ電圧Ｄｖを、極性制御信号ＰＯＬに基づいて所定の周期で極性を切り替えて出力する。これにより、液晶表示装置１００は、フレーム反転駆動を行いつつ、列ライン反転駆動（カラム反転駆動ともいう。）、行ライン反転駆動（ライン反転駆動ともいう。）又はドット反転駆動により画像表示を行う。
【００２４】
図２は、列ライン反転駆動を説明するための図である。図２では、画素電極１５に印加されるデータ電圧Ｄｖの極性を示している。列ライン反転駆動とは、共通電圧Ｖｃｏｍを固定しつつ、隣り合う２本のデータ線１１（データ線ＳＬ１〜ＳＬ６，…）に供給するデータ電圧Ｄｖの極性を互いに異ならせる駆動方法をいう。図２では、列ライン反転駆動を行いつつ、１フレーム毎にデータ電圧Ｄｖの極性を反転させるフレーム反転駆動を行う場合を示している。
【００２５】
図３は、行ライン反転駆動を説明するための図である。図３では、画素電極１５に印加されるデータ電圧Ｄｖの極性を示している。行ライン反転駆動とは、共通電圧Ｖｃｏｍを固定しつつ、行ライン毎にデータ線１１（データ線ＳＬ１〜ＳＬ６，…）に供給するデータ電圧Ｄｖの極性を異ならせる駆動方法をいう。すなわち、行ライン反転駆動では、同一水平走査期間において、同一極性のデータ電圧Ｄｖがデータ線１１に供給される。図３では、行ライン反転駆動を行いつつ、１フレーム毎にデータ電圧Ｄｖの極性を反転させるフレーム反転駆動を行う場合を示している。
【００２６】
ドット反転駆動は、図示はしないが、共通電圧Ｖｃｏｍを固定しつつ、隣り合う１又は複数本毎にデータ線１１（データ線ＳＬ１〜ＳＬ６，…）に供給するデータ電圧Ｄｖの極性を互いに異ならせるとともに、隣り合う１又は複数行毎にデータ線１１（データ線ＳＬ１〜ＳＬ６，…）に供給するデータ電圧Ｄｖの極性を互いに異ならせる駆動方法をいう。すなわち、ドット反転駆動には、隣り合う１画素毎に極性が異なる１ドット反転駆動、及び、隣り合うｎ（ｎは２以上の整数）画素毎に極性が異なるｎドット反転駆動が含まれる。
【００２７】
図４は、制御部４０の概略構成を示すブロック図である。制御部４０は、制御信号生成部４１と、位相反転信号生成部４２と、タイミング制御部４３と、補正電圧生成部４４と、画像データ処理部４５と、セレクタ４６とを含んでいる。
【００２８】
制御信号生成部４１は、システムから供給されたタイミング信号（クロック信号ＣＫ、垂直同期信号Ｖｓｙｎ、水平同期信号Ｈｓｙｎ）に基づいて、極性制御信号ＰＯＬ、データスタートパルスＤＳＰ、データクロックＤＣＫ、ゲートスタートパルスＧＳＰ、ゲートクロックＧＣＫを含む制御信号を生成する。制御信号生成部４１は、極性制御信号ＰＯＬ、データスタートパルスＤＳＰ、データクロックＤＣＫをソースドライバ２０に出力し、ゲートスタートパルスＧＳＰ、ゲートクロックＧＣＫをゲートドライバ３０に出力する。また、制御信号生成部４１は、上記制御信号を位相反転信号生成部４２及びタイミング制御部４３に出力する。
【００２９】
位相反転信号生成部４２は、データ電圧Ｄｖの極性の位相を、１又は複数フレーム毎に反転させるための位相反転信号ＰＲを生成し、タイミング制御部４３に出力する。位相反転信号ＰＲは、例えば、ハイレベル及びローレベルの電圧レベルを有する信号である。
【００３０】
タイミング制御部４３は、制御信号生成部４１から受信した制御信号に基づいて、セレクタ４６に選択信号ＳＳを出力する。また、タイミング制御部４３は、上記制御信号に基づいて、位相反転信号生成部４２から受信した位相反転信号ＰＲをソースドライバ２０に出力する。
【００３１】
補正電圧生成部４４は、入力画像データＤａｔａに対応するデータ電圧よりも共通電圧Ｖｃｏｍに近いデータ電圧（補正電圧）を生成し、セレクタ４６に出力する。以下では、補正電圧生成部４４は、補正電圧として共通電圧Ｖｃｏｍを生成する場合を例に挙げて説明する。なお、補正電圧生成部４４により生成される共通電圧Ｖｃｏｍは、共通電極１６に印加される共通電圧Ｖｃｏｍと同一の電圧レベルを有する。
【００３２】
画像データ処理部４５は、システムから供給される映像信号（入力画像データＤａｔａ）に周知の画像処理を施して出力画像データＤＡを生成し、セレクタ４６に出力する。
【００３３】
セレクタ４６は、タイミング制御部４３から受信した選択信号ＳＳに基づいて、補正電圧生成部４４から受信した共通電圧Ｖｃｏｍ、又は、画像データ処理部４５から受信した出力画像データＤＡを選択し、ソースドライバ２０に出力する。
【００３４】
ソースドライバ２０は、制御部４０から出力画像データＤＡを受信すると、データスタートパルスＤＳＰ及びデータクロックＤＣＫ等の制御信号に基づいて、出力画像データＤＡに応じたデータ電圧Ｄｖをデータ線１１に出力する。また、ソースドライバ２０は、極性制御信号ＰＯＬに基づいてデータ電圧Ｄｖの極性を切り替える。さらに、ソースドライバ２０は、位相反転信号ＰＲに基づいてデータ電圧Ｄｖの極性の位相を反転させる。例えば、ソースドライバ２０は、位相反転信号ＰＲの電圧レベルがローレベルからハイレベルに変化したタイミングでデータ電圧Ｄｖの極性の位相を反転させ、位相反転信号ＰＲの電圧レベルがハイレベルからローレベルに変化したタイミングでデータ電圧Ｄｖの極性の位相を反転させる。データ電圧Ｄｖの位相を反転させる周期は限定されず、例えば６フレーム毎に反転させてもよい。
【００３５】
ゲートドライバ３０は、制御部４０から出力された、ゲートスタートパルスＧＳＰ及びゲートクロックＧＣＫに基づいて、ゲート線１２にゲート電圧Ｇｖを出力する。
【００３６】
本実施形態に係る液晶表示装置１００は、上記構成を備えることにより、データ電圧Ｄｖの極性の位相を反転した後に生じ得る、フリッカの原因となる輝度上昇を抑える効果を奏する。以下、具体的な構成について説明する。
【００３７】
先ず、実施例１に係る液晶表示装置１００の動作について説明する。図５は、実施例１に係る液晶表示装置１００の動作を説明するための図である。図６は、実施例１に係る液晶表示装置１００の動作を示すタイミングチャートである。ここでは、一例として、図５に示すように、列ライン反転駆動及び１フレーム反転駆動を行いつつ、連続する第（Ｎ−１）フレームと第Ｎフレームとの切り替わりのタイミングでデータ電圧Ｄｖの極性の位相を反転させたときの構成を例に挙げて説明する。尚、図６では、図５に示す画素Ａ，Ｂ，Ｃに着目したタイミングチャートを示している。
【００３８】
図６において、Ｎ−１，Ｎ，Ｎ＋１は、この順に時間的に連続する３つのフレームを示している。図６に示す各フレームの横幅が１垂直走査期間に相当する。Ｌ−１，Ｌ，Ｌ＋１は、行ライン番号を示し、ここでは、２ライン目〜４ライン目（図５参照）を例に挙げている。図６に示す各ラインの横幅が１水平走査期間（１Ｈ）に相当する。データ電圧Ｄｖ３は、ソースドライバ２０からデータ線ＳＬ３に出力されるデータ信号の電圧レベルの変化を示している。ここでは、各フレームにおいて白画像を表示する場合のデータ電圧を例に挙げている。ゲート電圧Ｇｖ２，Ｇｖ３，Ｇｖ４は、ゲート線ＧＬ２，ＧＬ３，ＧＬ４に出力されるゲート信号の電圧レベルの変化を示している。画素Ａ，Ｂ，Ｃの各電位は、画素Ａ，Ｂ，Ｃにデータ電圧Ｄｖ３が印加されたときの画素Ａ，Ｂ，Ｃにおける各電位の時間的な変化を示している。
【００３９】
第（Ｎ−１）フレームでは、各水平走査期間に、制御部４０のセレクタ４６が、タイミング制御部４３の選択信号ＳＳに基づいて、画像データ処理部４５から出力される出力画像データＤＡを選択し、ソースドライバ２０に出力する。ソースドライバ２０は、各水平走査期間に、正極性の電圧レベル（＋Ｖｈ）を有するデータ電圧Ｄｖ３をデータ線ＳＬ３に出力する。これにより、画素Ａ，Ｂ，Ｃに、それぞれ、正極性の電圧レベル（＋Ｖｈ）を有するデータ電圧Ｄｖ３が印加され、白画像が表示される。その後、第（Ｎ−１）フレームが終了し、第Ｎフレームが開始されるタイミングで、位相反転信号ＰＲがハイレベルからローレベルに変化すると、データ電圧Ｄｖ３の極性の位相が反転する。
【００４０】
第Ｎフレームの第（Ｌ−１）ラインでは、第（Ｌ−１）ラインに対応する第１水平走査期間（１Ｈ）のうち初めの所定期間は、制御部４０のセレクタ４６が、タイミング制御部４３の選択信号ＳＳに基づいて、補正電圧生成部４４から出力される共通電圧Ｖｃｏｍを選択し、ソースドライバ２０に出力する。ソースドライバ２０は、第１水平走査期間のうち上記所定期間に、データ電圧Ｄｖ３として共通電圧Ｖｃｏｍをデータ線ＳＬ３に出力する。これにより、画素Ａに共通電圧Ｖｃｏｍが印加され画素Ａの電位が共通電圧Ｖｃｏｍに近づき、画素Ａの表示輝度が、白画像に対応する輝度から低下する。上記所定期間が終了すると、セレクタ４６は、タイミング制御部４３の選択信号ＳＳに基づいて、画像データ処理部４５から出力される出力画像データＤＡを選択し、ソースドライバ２０に出力する。ソースドライバ２０は、第１水平走査期間のうち上記所定期間以降は、正極性の電圧レベル（＋Ｖｈ）を有するデータ電圧Ｄｖ３をデータ線ＳＬ３に出力する。これにより、画素Ａに、正極性の電圧レベル（＋Ｖｈ）を有するデータ電圧Ｄｖ３が印加され、白画像が表示される。画素Ａの表示輝度は、白画像に対応する輝度まで上昇する。
【００４１】
第Ｎフレームの第Ｌラインでは、第Ｌラインに対応する第２水平走査期間（１Ｈ）のうち初めの所定期間に、制御部４０のセレクタ４６が、タイミング制御部４３の選択信号ＳＳに基づいて、補正電圧生成部４４から出力される共通電圧Ｖｃｏｍを選択し、ソースドライバ２０に出力する。ソースドライバ２０は、第２水平走査期間のうち上記所定期間は、データ電圧Ｄｖ３として共通電圧Ｖｃｏｍをデータ線ＳＬ３に出力する。これにより、画素Ｂに共通電圧Ｖｃｏｍが印加され画素Ｂの電位が共通電圧Ｖｃｏｍに近づき、画素Ｂの表示輝度が、白画像に対応する輝度から低下する。上記所定期間が終了すると、セレクタ４６は、タイミング制御部４３の選択信号ＳＳに基づいて、画像データ処理部４５から出力される出力画像データＤＡを選択し、ソースドライバ２０に出力する。ソースドライバ２０は、第２水平走査期間のうち上記所定期間以降は、正極性の電圧レベル（＋Ｖｈ）を有するデータ電圧Ｄｖ３をデータ線ＳＬ３に出力する。これにより、画素Ｂに、正極性の電圧レベル（＋Ｖｈ）を有するデータ電圧Ｄｖ３が印加され、白画像が表示される。画素Ｂの表示輝度は、白画像に対応する輝度まで上昇する。
【００４２】
第Ｎフレームの第（Ｌ＋１）ラインでは、第（Ｌ＋１）ラインに対応する第３水平走査期間（１Ｈ）において、上記第（Ｌ−１）ライン及び上記Ｌラインに対応する上記処理と同一の処理を行う。これにより、第３水平走査期間のうち初めの所定期間は、画素Ｃに共通電圧Ｖｃｏｍが印加され画素Ｃの電位が共通電圧Ｖｃｏｍに近づき、画素Ｃの表示輝度が、白画像に対応する輝度から低下する。また、第３水平走査期間のうち上記所定期間以降は、画素Ｃに、正極性の電圧レベル（＋Ｖｈ）を有するデータ電圧Ｄｖ３が印加され、白画像が表示される。画素Ｃの表示輝度は、白画像に対応する輝度まで上昇する。
【００４３】
第（Ｎ＋１）フレームでは、各水平走査期間に、制御部４０のセレクタ４６が、タイミング制御部４３の選択信号ＳＳに基づいて、画像データ処理部４５から出力される出力画像データＤＡを選択し、ソースドライバ２０に出力する。ソースドライバ２０は、各水平走査期間に、負極性の電圧レベル（−Ｖｈ）を有するデータ電圧Ｄｖ３をデータ線ＳＬ３に出力する。これにより、画素Ａ，Ｂ，Ｃに、それぞれ、負極性の電圧レベル（−Ｖｈ）を有するデータ電圧Ｄｖ３が印加され、白画像が表示される。第（Ｎ＋１）フレーム以降は、位相反転信号ＰＲの電圧レベルがローレベルからハイレベルに変化するまで、第（Ｎ−１）フレームにおける上記処理と、第（Ｎ＋１）フレームにおける上記処理とが交互に繰り返される。位相反転信号ＰＲがローレベルからハイレベルに変化すると、その直後のフレームでは、第Ｎフレームの上記処理が実行される。尚、上記処理では、位相反転する直前の第（Ｎ−１）フレームにおいて正極性のデータ電圧Ｄｖを出力しているため、第Ｎフレームにおいて、正極性のデータ電圧Ｄｖを出力しているが、例えば、位相反転する直前の第（Ｎ−１）フレームにおいて負極性のデータ電圧Ｄｖを出力する場合は、第Ｎフレームにおいて負極性のデータ電圧Ｄｖを出力する。
【００４４】
上記のように、実施例１に係る液晶表示装置１００では、位相反転した直後のフレームでは、各水平走査期間において、水平走査期間の開始時から所定期間は共通電圧Ｖｃｏｍを出力し、該所定期間以降は入力画像データＤａｔａに対応するデータ電圧Ｄｖを出力する。これにより、列ライン反転駆動の液晶表示装置において、データ電圧Ｄｖの極性の位相を反転した後に生じ得る、フリッカの原因となる輝度上昇（図１２（ｃ）参照）を抑えることができる。よって、残像の発生を防止しつつ、表示品位の低下を抑えることができる。
【００４５】
次に、実施例２に係る液晶表示装置１００の動作について説明する。図７は、実施例２に係る液晶表示装置１００の動作を説明するための図である。図８は、実施例２に係る液晶表示装置１００の動作を示すタイミングチャートである。ここでは、一例として、図７に示すように、行ライン反転駆動及び１フレーム反転駆動を行いつつ、連続する第（Ｎ−１）フレームと第Ｎフレームとの切り替わりのタイミングでデータ電圧Ｄｖの極性の位相を反転させたときの構成を例に挙げて説明する。尚、図８では、図７に示す画素Ａ，Ｂ，Ｃに着目したタイミングチャートを示している。以下では、実施例１の説明と重複する説明は省略する。
【００４６】
第（Ｎ−１）フレームの第（Ｌ−１）ラインでは、第（Ｌ−１）ラインに対応する第１水平走査期間（１Ｈ）に、制御部４０のセレクタ４６が、タイミング制御部４３の選択信号ＳＳに基づいて、画像データ処理部４５から出力される出力画像データＤＡを選択し、ソースドライバ２０に出力する。ソースドライバ２０は、第１水平走査期間に、負極性の電圧レベル（−Ｖｈ）を有するデータ電圧Ｄｖ３をデータ線ＳＬ３に出力する。これにより、画素Ａに、負極性の電圧レベル（−Ｖｈ）を有するデータ電圧Ｄｖ３が印加され、白画像が表示される。
【００４７】
第（Ｎ−１）フレームの第Ｌラインでは、第Ｌラインに対応する第２水平走査期間（１Ｈ）に、制御部４０のセレクタ４６が、タイミング制御部４３の選択信号ＳＳに基づいて、画像データ処理部４５から出力される出力画像データＤＡを選択し、ソースドライバ２０に出力する。ソースドライバ２０は、第２水平走査期間に、正極性の電圧レベル（＋Ｖｈ）を有するデータ電圧Ｄｖ３をデータ線ＳＬ３に出力する。これにより、画素Ｂに、正極性の電圧レベル（＋Ｖｈ）を有するデータ電圧Ｄｖ３が印加され、白画像が表示される。以降の各ラインに対応する各水平走査期間では、上記第１水平走査期間の処理と、上記第２水平走査期間の処理とが交互に繰り返される。その後、第（Ｎ−１）フレームが終了し、第Ｎフレームが開始されるタイミングで、位相反転信号ＰＲがハイレベルからローレベルに変化すると、データ電圧Ｄｖ３の極性の位相が反転する。
【００４８】
第Ｎフレームの第（Ｌ−１）ラインでは、第（Ｌ−１）ラインに対応する第１水平走査期間（１Ｈ）のうち初めの所定期間は、制御部４０のセレクタ４６が、タイミング制御部４３の選択信号ＳＳに基づいて、補正電圧生成部４４から出力される共通電圧Ｖｃｏｍを選択し、ソースドライバ２０に出力する。ソースドライバ２０は、第１水平走査期間のうち上記所定期間に、データ電圧Ｄｖ３として共通電圧Ｖｃｏｍをデータ線ＳＬ３に出力する。これにより、画素Ａに共通電圧Ｖｃｏｍが印加され画素Ａの電位が共通電圧Ｖｃｏｍに近づき、画素Ａの表示輝度が、白画像に対応する輝度から低下する。上記所定期間が終了すると、セレクタ４６は、タイミング制御部４３の選択信号ＳＳに基づいて、画像データ処理部４５から出力される出力画像データＤＡを選択し、ソースドライバ２０に出力する。ソースドライバ２０は、第１水平走査期間のうち上記所定期間以降は、負極性の電圧レベル（−Ｖｈ）を有するデータ電圧Ｄｖ３をデータ線ＳＬ３に出力する。これにより、画素Ａに、負極性の電圧レベル（−Ｖｈ）を有するデータ電圧Ｄｖ３が印加され、白画像が表示される。画素Ａの表示輝度は、白画像に対応する輝度まで上昇する。
【００４９】
第Ｎフレームの第Ｌラインでは、第Ｌラインに対応する第２水平走査期間（１Ｈ）のうち初めの所定期間は、制御部４０のセレクタ４６が、タイミング制御部４３の選択信号ＳＳに基づいて、補正電圧生成部４４から出力される共通電圧Ｖｃｏｍを選択し、ソースドライバ２０に出力する。ソースドライバ２０は、第２水平走査期間のうち上記所定期間は、データ電圧Ｄｖ３として共通電圧Ｖｃｏｍをデータ線ＳＬ３に出力する。これにより、画素Ｂに共通電圧Ｖｃｏｍが印加され画素Ｂの電位が共通電圧Ｖｃｏｍに近づき、画素Ｂの表示輝度が、白画像に対応する輝度から低下する。上記所定期間が終了すると、セレクタ４６は、タイミング制御部４３の選択信号ＳＳに基づいて、画像データ処理部４５から出力される出力画像データＤＡを選択し、ソースドライバ２０に出力する。ソースドライバ２０は、第２水平走査期間のうち上記所定期間以降は、正極性の電圧レベル（＋Ｖｈ）を有するデータ電圧Ｄｖ３をデータ線ＳＬ３に出力する。これにより、画素Ｂに、正極性の電圧レベル（＋Ｖｈ）を有するデータ電圧Ｄｖ３が印加され、白画像が表示される。画素Ｂの表示輝度は、白画像に対応する輝度まで上昇する。
【００５０】
第Ｎフレームの第（Ｌ＋１）ラインでは、第（Ｌ＋１）ラインに対応する第３水平走査期間（１Ｈ）において、上記第（Ｌ−１）ラインに対応する上記処理と同一の処理を行う。これにより、第３水平走査期間が開始してから所定期間は、画素Ｃに共通電圧Ｖｃｏｍが印加され画素Ｃの電位が共通電圧Ｖｃｏｍに近づき、画素Ｃの表示輝度が、白画像に対応する輝度から低下する。また、第３水平走査期間のうち上記所定期間以降は、画素Ｃに、負極性の電圧レベル（−Ｖｈ）を有するデータ電圧Ｄｖ３が印加され、白画像が表示される。画素Ｃの表示輝度は、白画像に対応する輝度まで上昇する。
【００５１】
第（Ｎ＋１）フレームの第（Ｌ−１）ラインでは、第（Ｌ−１）ラインに対応する第１水平走査期間（１Ｈ）に、制御部４０のセレクタ４６が、タイミング制御部４３の選択信号ＳＳに基づいて、画像データ処理部４５から出力される出力画像データＤＡを選択し、ソースドライバ２０に出力する。ソースドライバ２０は、第１水平走査期間に、正極性の電圧レベル（＋Ｖｈ）を有するデータ電圧Ｄｖ３をデータ線ＳＬ３に出力する。これにより、画素Ａに、正極性の電圧レベル（＋Ｖｈ）を有するデータ電圧Ｄｖ３が印加され、白画像が表示される。
【００５２】
第（Ｎ＋１）フレームの第Ｌラインでは、第Ｌラインに対応する第２水平走査期間（１Ｈ）に、制御部４０のセレクタ４６が、タイミング制御部４３の選択信号ＳＳに基づいて、画像データ処理部４５から出力される出力画像データＤＡを選択し、ソースドライバ２０に出力する。ソースドライバ２０は、第２水平走査期間に、負極性の電圧レベル（−Ｖｈ）を有するデータ電圧Ｄｖ３をデータ線ＳＬ３に出力する。これにより、画素Ｂに、負極性の電圧レベル（−Ｖｈ）を有するデータ電圧Ｄｖ３が印加され、白画像が表示される。以降の各ラインに対応する各水平走査期間では、上記第１水平走査期間の処理と、上記第２水平走査期間の処理とが交互に実行される。
【００５３】
第（Ｎ＋１）フレーム以降は、位相反転信号ＰＲの電圧レベルがローレベルからハイレベルに変化するまで、第（Ｎ−１）フレームにおける上記処理と、第（Ｎ＋１）フレームにおける上記処理とが交互に繰り返される。位相反転信号ＰＲがローレベルからハイレベルに変化すると、その直後のフレームでは、第Ｎフレームの上記処理が実行される。
【００５４】
上記構成によれば、行ライン反転駆動の液晶表示装置において、データ電圧Ｄｖの極性の位相を反転した後に生じ得る、フリッカの原因となる輝度上昇（図１２（ｃ）参照）を抑えることができる。
【００５５】
上記実施例１，２では、補正電圧生成部４４は、補正電圧として共通電圧Ｖｃｏｍを生成しているが、補正電圧は共通電圧Ｖｃｏｍに限定されず、補正電圧生成部４４は、補正電圧として、入力画像データＤａｔａに対応する第１データ電圧よりも共通電圧Ｖｃｏｍに近い第２データ電圧を生成してもよい。尚、第２データ電圧は、これに対応する表示輝度が、第１データ電圧に対応する表示輝度より低くなる電圧レベルを有する。
【００５６】
また上記実施例１，２において、制御部４０は、入力画像データＤａｔａに応じて補正電圧をソースドライバ２０に出力してもよい。例えば、制御部４０は、位相反転前後の第（Ｎ−１）フレームと第Ｎフレーム間の画像を比較して、両者が同一（例えば静止画像）である場合は、第Ｎフレームにおいて上記補正電圧をソースドライバ２０に出力し、両者が同一でない（例えば動画像）場合は、第Ｎフレームにおいて出力画像データＤＡをソースドライバ２０に出力してもよい。また、制御部４０は、第Ｎフレームが示す画像のうち、所定の領域（例えば静止画像領域）に対応して上記補正電圧を出力し、他の領域（例えば動画像領域）に対応して出力画像データＤＡを出力してもよい。
【００５７】
尚、実施例２に係る液晶表示装置１００は、行ライン反転駆動（図７参照）を行ってもよいし、ドット反転駆動を行ってもよい。
【００５８】
次に、実施例３に係る液晶表示装置１００の動作について説明する。図９は、実施例３に係る液晶表示装置１００における制御部４０の概略構成を示すブロック図である。以下では、実施例１に係る構成（図４参照）と同一の構成については説明を省略する。図１０は、ソースドライバ２０及びデータ線１１の構成を示す図である。尚、図１０では、列ライン反転駆動及び１フレーム反転駆動を行いつつ、連続する第（Ｎ−１）フレームと第Ｎフレームとの切り替わりのタイミングでデータ電圧Ｄｖの極性の位相を反転させた場合を示している。
【００５９】
図１０に示すように、実施例３に係る液晶表示装置１００は、複数の短絡トランジスタ５１と、複数の接続トランジスタ５２と、インバータ５３と、短絡制御線５４とを含んでいる。
【００６０】
各短絡トランジスタ５１は、一方の導通電極（ドレイン電極）が、極性が異なるデータ電圧Ｄｖが供給される２本のデータ線１１の一方に電気的に接続され、他方の導通電極（ソース電極）が、上記２本のデータ線１１の他方に電気的に接続され、制御電極（ゲート電極）が短絡制御線５４に電気的に接続されている。図１０に示す例では、複数の短絡トランジスタ５１は、データ線ＳＬ１，ＳＬ２を互いに接続し、データ線ＳＬ３，ＳＬ４を互いに接続し、データ線ＳＬ５，ＳＬ６を互いに接続するように設けられている。
【００６１】
各接続トランジスタ５２は、一方の導通電極（ドレイン電極）が、ソースドライバ２０の出力端子に電気的に接続され、他方の導通電極（ソース電極）が、データ線１１に電気的に接続され、制御電極（ゲート電極）がインバータ５３を介して短絡制御線５４に電気的に接続されている。短絡制御線５４には、制御部４０から、短絡トランジスタ５１及び接続トランジスタ５２をオン又はオフする短絡信号ＣＳが供給される。
【００６２】
上記構成によれば、例えば短絡信号ＣＳがハイレベルのときは、各短絡トランジスタ５１がオン状態になり、各接続トランジスタ５２がオフ状態になる。これにより、極性が異なるデータ電圧Ｄｖが供給される２本のデータ線１１が短絡し、各データ線１１がソースドライバ２０から電気的に切り離される。
【００６３】
図９に示すように、実施例２に係る制御部４０では、実施例１の補正電圧生成部４４及びセレクタ４６（図４参照）が省略される一方、短絡信号生成部４７が新たに設けられている。
【００６４】
短絡信号生成部４７は、短絡信号ＣＳを生成し、ソースドライバ２０に出力する。短絡信号ＣＳは、短絡トランジスタ５１及び接続トランジスタ５２をオンする電圧レベル（ハイレベル）と、オフする電圧レベル（ローレベル）とを有する。短絡信号生成部４７は、タイミング制御部４３の制御信号に基づいて、ハイレベル又はローレベルの短絡信号ＣＳを出力する。
【００６５】
画像データ処理部４５は、システムから供給される入力画像データＤａｔａに周知の画像処理を施して出力画像データＤＡを生成し、タイミング制御部４３の制御信号に基づいて、ソースドライバ２０に出力する。
【００６６】
ソースドライバ２０は、制御部４０から出力画像データＤＡを受信すると、データスタートパルスＤＳＰ及びデータクロックＤＣＫ等の制御信号に基づいて、出力画像データＤＡに応じたデータ電圧Ｄｖをデータ線１１に出力する。また、ソースドライバ２０は、極性制御信号ＰＯＬに基づいてデータ電圧Ｄｖの極性を切り替える。さらに、ソースドライバ２０は、位相反転信号ＰＲに基づいてデータ電圧Ｄｖの極性の位相を反転させる。
【００６７】
また、ソースドライバ２０が短絡信号生成部４７からハイレベルの短絡信号ＣＳを受信すると、短絡トランジスタ５１がオン状態になって、極性が異なるデータ電圧Ｄｖが供給される２本のデータ線１１が短絡するとともに、各データ線１１がソースドライバ２０から電気的に切り離されて、ソースドライバ２０からデータ線１１に対するデータ電圧Ｄｖの出力が停止される（図１０参照）。一方、ソースドライバ２０がローレベルの短絡信号ＣＳを受信すると、短絡トランジスタ５１がオフ状態になって、２本のデータ線１１が電気的に切り離されるとともに、各データ線１１がソースドライバ２０に電気的に接続されて、ソースドライバ２０からデータ線１１にデータ電圧Ｄｖが出力される（図１０参照）。
【００６８】
次に、実施例３に係る液晶表示装置１００の動作について説明する。図１１は、実施例３に係る液晶表示装置１００の動作を示すタイミングチャートである。尚、図１１は、図１０に示す画素Ａ，Ｄに着目したタイミングチャートを示している。以下では、実施例１の説明と重複する説明は省略する。
【００６９】
第（Ｎ−１）フレームでは、各水平走査期間の初めの所定期間ｔ０（以下、チャージシェア期間ｔ０という。）に、制御部４０の短絡信号生成部４７からソースドライバ２０にハイレベルの短絡信号ＣＳが入力される。これにより、データ線ＳＬ３，ＳＬ４が短絡してデータ線ＳＬ３，ＳＬ４に接続される画素Ａ及び画素Ｄ間で電荷が配分され、画素Ａ及び画素Ｄの電位が中間電位（例えば共通電圧Ｖｃｏｍ）に近づく。チャージシェア期間ｔ０が経過すると、短絡信号生成部４７からソースドライバ２０にローレベルの短絡信号ＣＳが入力される。これにより、データ線ＳＬ３，ＳＬ４が電気的に切り離され、正極性のデータ電圧Ｄｖ３がデータ線ＳＬ３に供給され、負極性のデータ電圧Ｄｖ４がデータ線ＳＬ４に供給される。
【００７０】
次に、第（Ｎ−１）フレームから第Ｎフレームに切り替わるタイミングで、位相反転信号ＰＲがハイレベルからローレベルに変化すると、データ電圧Ｄｖの極性の位相が反転する。その後、第Ｎフレームにおける各水平走査期間の初めの所定期間ｔ１（以下、チャージシェア期間ｔ１という。）において、短絡信号生成部４７からソースドライバ２０にハイレベルの短絡信号ＣＳが入力される。これにより、データ線ＳＬ３，ＳＬ４が短絡してデータ線ＳＬ３，ＳＬ４に接続される画素Ａ及び画素Ｄ間で電荷が配分され、画素Ａ及び画素Ｄの電位が中間電位（例えば共通電圧Ｖｃｏｍ）に近づく。チャージシェア期間ｔ１が経過すると、短絡信号生成部４７からソースドライバ２０にローレベルの短絡信号ＣＳが入力される。これにより、データ線ＳＬ３，ＳＬ４が電気的に切り離され、正極性のデータ電圧Ｄｖ３がデータ線ＳＬ３に供給され、負極性のデータ電圧Ｄｖ４がデータ線ＳＬ４に供給される。
【００７１】
次に、第（Ｎ＋１）フレームでは、各水平走査期間の初めの所定期間ｔ０（チャージシェア期間ｔ０）において、短絡信号生成部４７からソースドライバ２０にハイレベルの短絡信号ＣＳが入力される。これにより、データ線ＳＬ３，ＳＬ４が短絡してデータ線ＳＬ３，ＳＬ４に接続される画素Ａ及び画素Ｄ間で電荷が配分され、画素Ａ及び画素Ｄの電位が中間電位（例えば共通電圧Ｖｃｏｍ）に近づく。チャージシェア期間ｔ０が経過すると、短絡信号生成部４７からソースドライバ２０にローレベルの短絡信号ＣＳが入力される。これにより、データ線ＳＬ３，ＳＬ４が電気的に切り離され、負極性のデータ電圧Ｄｖ３がデータ線ＳＬ３に供給され、正極性のデータ電圧Ｄｖ４がデータ線ＳＬ４に供給される。
【００７２】
第（Ｎ＋１）フレーム以降は、位相反転信号ＰＲの電圧レベルがローレベルからハイレベルに変化するまで、第（Ｎ−１）フレームにおける上記処理と、第（Ｎ＋１）フレームにおける上記処理とが交互に繰り返される。位相反転信号ＰＲがローレベルからハイレベルに変化すると、その直後のフレームでは、第Ｎフレームの上記処理が実行される。
【００７３】
上記構成によれば、列ライン反転駆動の液晶表示装置において、データ電圧Ｄｖの極性の位相を反転した後に生じ得る、フリッカの原因となる輝度上昇（図１２（ｃ）参照）を抑えることができる。ここで、位相反転した直後のフレーム（例えば図１１の第Ｎフレーム）では、他のフレームと比較して表示輝度が高くなり易い（図１２（ｃ）参照）。そこで、第Ｎフレームにおけるチャージシェア期間ｔ１を、他のフレーム（例えば第（Ｎ−１）フレーム、第（Ｎ＋１）フレーム）におけるチャージシェア期間ｔ０よりも長く設定することが好ましい。これにより、位相反転直後のフレームにおけるチャージシェア期間ｔ１における画素Ａ，Ｄの電位を、他のフレームのチャージシェア期間ｔ０における画素Ａ，Ｄの電位に近づけることができるため、表示輝度を均一化することができる。尚、上記チャージシェア期間ｔ１の長さは、入力画像データＤａｔａに応じて設定されてもよい。例えば、入力画像データＤａｔａに対応する画像の表示輝度が高くなる程、チャージシェア期間ｔ１が長くなるように設定してもよい。
【００７４】
実施例３に係る液晶表示装置１００の構成は上記構成に限定されない。例えば、ソースドライバ２０は、位相が反転した直後のフレームでは、極性が異なるデータ電圧Ｄｖが供給される２本のデータ線１１を互いに短絡させる短絡処理を実行する一方、該フレーム以外のフレームでは上記短絡処理を実行しない構成であってもよい。
【００７５】
尚、実施例３に係る液晶表示装置１００は、列ライン反転駆動（図１０参照）を行ってもよいし、ドット反転駆動を行ってもよい。ドット反転駆動を行う液晶表示装置１００では、例えばｎ（ｎは１以上の整数）ドット反転駆動を行う場合において、ソースドライバは２０、位相が反転した直後のフレームでは１水平走査期間ごとに上記短絡処理を実行する一方、該フレーム以外のフレームではｎ水平走査期間ごとに上記短絡処理を実行する構成であってもよい。
【００７６】
以上、本発明の一実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００７７】
１００  液晶表示装置、１０  表示パネル、２０  ソースドライバ、３０  ゲートドライバ、４０  制御部、１１  データ線、１２  ゲート線、１３  ＴＦＴ、１４  画素、１５  画素電極、１６  共通電極、４１  制御信号生成部、４２  位相反転信号生成部、４３  タイミング制御部、４４  補正電圧生成部、４５  画像データ処理部、４６  セレクタ、４７  短絡信号生成部。
【図１】
2017181839.tif 000003
【図２】
2017181839.tif 000004
【図３】
2017181839.tif 000005
【図４】
2017181839.tif 000006
【図５】
2017181839.tif 000007
【図６】
2017181839.tif 000008
【図７】
2017181839.tif 000009
【図８】
2017181839.tif 000010
【図９】
2017181839.tif 000011
【図１０】
2017181839.tif 000012
【図１１】
2017181839.tif 000013
【図１２】
2017181839.tif 000014